(57)【要約】【課題】気圧、温度及び湿度を計測する計測機器を収納する小型の計測機器収納箱を提供する。【解決手段】計測機器を収納する計測機器収納箱１は、計測機器収納箱１内に設けられた吸気口１１と、吸気口１１とともに計測機器を挟み込むように計測機器収納箱１に設けられた排気口２１と、吸気口１１から流入した空気を一定の風量で計測機器に当てるためのファン２１ａと、を備える。【選択図】図２
2015034791.tif 000002
【特許請求の範囲】
【請求項１】
計測機器を収納する計測機器収納箱であって、
前記計測機器収納箱内に設けられた吸気口と、
前記吸気口とともに計測機器を挟み込むように前記計測機器収納箱に設けられた排気口と、
前記吸気口から流入した空気を一定の風量で計測機器に当てるための送風部と、
を備えることを特徴とする計測機器収納箱。
【請求項２】
前記吸気口は、空気の流量を調整するためのフィルタを有する、請求項１に記載の計測機器収納箱。
【請求項３】
前記吸気口は前記排気口に対向する、請求項１又は２に記載の計測機器収納箱。
【請求項４】
空気の排気量を調整するために前記排気口の一部を封鎖する調整板を更に備える、請求項１から３のうちのいずれか１項に記載の計測機器収納箱。
【請求項５】
前記送風部はファンを有する、請求項１から４のうちのいずれか１項に記載の計測機器収納箱。
【発明の詳細な説明】
【技術分野】
【０００１】
本発明は、光学測量のために気圧、温度又は湿度を計測する計測機器を収納する計測機器収納箱に関する。
【背景技術】
【０００２】
レーザー測量のような光学測量において、光学測量を正確に行うために光学測量装置外の光路の近傍の気圧、温度及び湿度を計測することが大事であることが分かった。一方、気象観測装置や、温度測定装置として、気圧、温度又は湿度を計測する計測機器を外気の変化に対する追従性を向上させるために、ファンを用いて空気を強制的に排気することによって計測機器に風を当てた状態で計測する計測装置が提案されている（例えば、特許文献１，２）。
【先行技術文献】
【特許文献】
【０００３】
【特許文献１】特開平１１−２１１８４４号公報
【特許文献２】特許第３５２４２９２号公報
【発明の概要】
【発明が解決しようとする課題】
【０００４】
従来の計測機器収納装置は大型であり、かつ、設置場所が制限された。従来の計測機器収納装置を光学測量の際に用いた場合には、光学測量装置を含む光学系が大型になり、光学測量を行うためには場所を選ばざるを得なくなり、場所を選ばないで測量を行うという測量本来の目的を達成できなくなるという不都合がある。
【０００５】
本発明の目的は、計測機器を収納する、光学測量の場所を選ぶことなく環境条件を測定できる小型の計測機器収納箱を提供することである。
【課題を解決するための手段】
【０００６】
本発明による計測機器収納箱は、計測機器を収納する計測機器収納箱であって、計測機器収納箱内に設けられた吸気口と、吸気口とともに計測機器を挟み込むように計測機器収納箱に設けられた排気口と、吸気口から流入した空気を一定の風量で計測機器に当てるための送風部と、を備えることを特徴とする計測機器収納箱。
【０００７】
好適には、吸気口は、空気の中の粉塵等を除去するためのフィルタを有する。該フィルタは、外気の風を直接計測機器に当てない効果を有する。また、計測機器収納箱に入る空気の流量を調節できる効果を有する。
【０００８】
好適には、吸気口は前記排気口に対向する。
【０００９】
好適には、本発明による計測機器収納箱は、空気の排気量を調整するために排気口の一部を封鎖する調整板を更に備える。
【００１０】
好適には、送風部はファンを有する。
【発明の効果】
【００１１】
本発明によれば、吸気口とともに計測機器を挟み込むように計測機器収納箱に設けられた排気口を備えることによって、計測機器収納箱内の計測機器を収納するスペースをできるだけ小さくすることができるので、計測機器収納箱を小型にすることができる。
【図面の簡単な説明】
【００１２】
【図１】本発明による計測機器収納箱の斜視図である。
【図２】図１の計測機器収納箱の蓋を取り外した状態を示す図である。
【図３】図１の計測機器収納箱の蓋を取り外した後に計測機器を収納した状態を示す図である。
【図４】図３に示す計測機器を示す図である。
【発明を実施するための形態】
【００１３】
本発明による計測機器収納箱を、図面を参照しながら詳細に説明する。
図１は、本発明による計測機器収納箱の斜視図である。図１に示す計測機器収納箱１は、光学測量装置外の光路の近傍に配置され、光学測量のために気圧、温度又は湿度を計測する計測機器を収納し、収納した計測機器に一定の風量の風を当てる。また、計測機器収納箱１は、蓋１０及び容器２０を備え、蓋１０には、空気の流量を調整するためのフィルタ１１ａを有する吸気口１１が形成されている。
【００１４】
図２は、図１の計測機器収納箱の蓋を取り外した状態を示す図である。図２に示すように、容器２０の底部には、排気口２１が形成され、排気口２１には、吸気口１１から流入した空気を一定の風量で計測機器に当てるための送風部としてのファン２１ａが取り付けられ、ファン２１ａは、計測機器収納箱１内の空気を強制的に排気する。また、容器２０の底部には、空気の排気量を調整するために排気口２１の一部を封鎖する調整板２２ａ，２２ｂと、が取り付けられている。
【００１５】
排気口２１は、蓋１０が容器２０に取り付けられたときには吸気口１１に対向し、計測機器が計測機器収納箱１に収納された状態で蓋１０が容器２０に取り付けられたときには吸気口１１とともに計測機器を挟み込む。また、ファン２１ａは、図示しないモータによって駆動される。
【００１６】
容器２０には、図示しないモータに電力を供給する電池を収納する電池パック２３ａ，２３ｂと、計測機器を収納するスペースを蓋１０及び容器２０の底部とともに形成する充填材２４と、を収容する。
【００１７】
電池パック２３ａ，２３ｂ内の電池と図示しないモータとの間には図示しない電線が設けられ、図示しない電線を介した電池パック２３ａ，２３ｂ内の電池と図示しないモータとの間の接続及び切り離しは、図示しないスイッチをオンオフすることによって行われる。
【００１８】
本実施の形態では、フィルタ１１ａ及び調整板２２ａ，２２ｂを設けることによって、ファン２１ａを駆動したときに収納した計測機器に当てる風の風量（通風速度）を調整することができる。また、フィルタ１１ａの目の大きさ及び調整板２２ａ，２２ｂによって排気口２１を封鎖する範囲を変更することによって、計測機器に当てる風の風量を変更することができる。
【００１９】
図３は、図１の計測機器収納箱の蓋を取り外した後に計測機器を収納した状態を示す図であり、図４は、図３に示す計測機器を示す図である。蓋１０、充填材２４及び容器２０の底部とともに形成されたスペースに収納された計測機器２５は、ケストレル社から市販されている型式がケストレル４００ＢＴの計測機器であり、ブルートゥースでパーソナルコンピュータと無線で通信し、データのダウンロードが可能である計測機器である。
【００２０】
計測機器２５は、気圧を計測する気圧センサ、温度を計測する温度センサ、湿度を計測する湿度センサ等からなるセンサ群２５ａと、風速を計測する風速計２５ｂと、計測した気圧、温度、湿度、風速等を表示するディスプレイ２５ｃと、計測機器２５の各種操作を行うためのキー群２５ｄと、計測機器２５の動作を制御する図示しないプロセッサと、を有する。また、計測機器２５は、計測機器２５に収納される図示しない電池によって電力が供給され、図示しないスイッチによって起動状態と非起動状態との間の切り替えが行われる。
【００２１】
ファン２１ａにより計測機器２５に所定の風量（例えば、風速５ｍ／ｓ）の風を当てることによって、外気の変化に対する追従性を向上させることができるという利点を有する。また、計測機器２５がデータのダウンロードが可能であるので、データの蓄積ができるという効果を有する。さらに、計測機器２５が無線でデータ転送が可能なために計測機器２５すなわち計測機器収納箱１の設置場所を問わない。計測機器２５として、ケストレル社から市販されている型式がケストレル４００ＢＴの計測機器以外の計測機器を用いることもできる。
【００２２】
本実施の形態によれば、計測機器収納箱１内の空気を強制的に排気する排気口２１が、吸気口１１に対向し、吸気口１１とともに計測機器２５を挟み込むことによって、計測機器収納箱１内の計測機器２５を収納するスペースをできるだけ小さくすることができるので、計測機器収納箱１を小型にすることができる。また、計測機器収納箱１を小型にすることができるので、計測機器収納箱１を軽量化し、かつ、安価に構成することができる。本発明により、設置場所が制限されることなく迅速に簡便にかつ安定的に環境測量ができるようになったことで、光学測量の場所を選ぶことなく測量を行うことが可能となった。計測機器を収納する計測機器収納箱により、例えばトンネルの中や山の中、鉄橋の上など光学測量の場所を選ぶことなく環境条件を測定して正確な測量が可能となった。
【符号の説明】
【００２３】
１    計測機器収納箱
１０    蓋
１１    吸気口
１１ａ    フィルタ
２０    容器
２１    排気口
２１ａ    ファン
２２ａ，２２ｂ    調整板
２３ａ，２３ｂ    電池パック
２４    充填材
２５    計測機器
【図１】
2015034791.tif 000003
【図２】
2015034791.tif 000004
【図３】
2015034791.tif 000005
【図４】
2015034791.tif 000006